(57)【要約】      （修正有）【課題】優れた構造強度を有すると共に、組立ても非常に簡単な盆提灯を提供する。【解決手段】取手部１０と、取手部の両端下方側に対応配設される二本の支柱２０と、支柱の下端部が連結されるベース台３０と、三本の脚部４０とを備え、支柱とベース台、及び、ベース台と脚部、との間に係合部材５０が設けられ、取手部は下方側にねじ孔１１が形成され、支柱の上端に取手部のねじ孔１１と対応し、一端の開口幅が小さく他端の開口幅が大きい係合孔２１が形成され、ねじ孔には外側にねじロッド１２が設けられ、上面の中央に収容孔３１が形成され、外周縁に係合溝３２、底面側の外周緑に係合溝３２が形成され、係合部材５０は、支柱の下端と脚部の上端とに夫々設けられ、一端の幅が大きく他端の幅が小さい係合ブロック５１と、係合溝５３に設置される蟻溝を有する連結ブロック５２とを有する。【選択図】図２
0003113278.tif 000002
【実用新案登録請求の範囲】
【請求項１】
取手部と、前記取手部の下方側に対応連結配設され提灯が配設されるようになる二本の支柱と、前記支柱の下端部が連結されるベース台と、前記ベース台の底面側に設けられる三本の脚部とを備えると共に、前記支柱、ベース台及び脚部の間に係合部材が設けられてなり、
前記取手部は、下方側にねじ孔が形成され、前記支柱の上端部近傍に前記取手部のねじ孔と対応し、一端の開口幅が小さく、他端の開口幅が大きい係合孔が形成され、前記ねじ孔に一端にねじ部を有し、他端に四角形の頭部を有する係合ヘッドを有するねじロッドが設けられ、
前記ベース台は、上面の中央に照明灯配設用の収容孔が形成されると共に、外周縁に支柱を連結するための係合溝が形成され、底面側の外周緑には脚部先端部を連結するための係合溝が形成され、
前記係合部材は、支柱の下端部および脚部の上端部が連結されるベース台３０の係合溝に設けられ、一端の幅が大きく、他端の幅が小さい台形状の係合ブロックと、係合溝に設置される蟻溝を有する連結ブロックとを有し、前記係合ブロックと連結ブロックは固定部材によって夫々支柱、脚部及びベース台とを連結することを特徴とする盆提灯。
【請求項２】
前記脚部の中段に前記支柱の上端における係合孔と同様の
係合孔が形成され、脚部の間に略三角形の補強プレートが設けられ、前記補強
プレートの三つの端末に脚部の係合孔に係合するねじロッドが螺設されることを特徴とする請求項１記載の盆提灯。
【請求項３】
前記連結ブロックはプラスチックからなることを特徴とする請求項１に記載の盆提灯。
【考案の詳細な説明】
【技術分野】
【０００１】
本考案は、特に、お盆，法事，或いは葬儀などに使用される床置き型の盆提灯に関するものである。
【背景技術】
【０００２】
従来の盆提灯は、木製の取手部と、前記取手部の下方側に対応連結配設された二本の支柱と、この支柱の下端部が連結されるベース台と、前記ベース台の底面側に設けられる三本の脚部とを備え、前記二本の支柱間に提灯が伸縮自在に取り付けられるようになっている。
【０００３】
図７に示すように、従来の盆提灯の取手部７０は装飾用ロッドからなり、下部の対向する両側には、ねじ孔７１，７１がそれぞれ対向して形成されている。また、前記一対の支柱７２，７２の上端近傍の側面には、それぞれ前記ねじ孔７１，７１と対向して形成したねじ孔７３，７３が設けられており、前記ねじ孔７１，７３にねじロッド７４を介在させることで、前記取手部７０と各支柱７２，７２とを互いに連結するようになっている。
【０００４】
図８に示すように、前記ベース台７５は円盤状であり、上面側に一対の支柱７２，７２の下端部を挿入するための取付孔７６，７６と、蝋燭やランプを設置するための収容孔７７が形成されると共に、底面側に前記脚部７８の上端部を挿入するための取付孔７９が形成され、前記取付孔７６，７９の内部には、接着剤を塗布することにより、ベース台７５、支柱７２及び脚部７８を連結させる。
【０００５】
又、図９に示すように、前記脚部７８の中段に水平方向に穿った挿入孔８０が形成され、前記挿入孔８０に略三角形の補強プレート８１を挿設することにより、脚部７８の連結強度を向上させている。
【考案の開示】
【考案が解決しようとする課題】
【０００６】
しかしながら、前記従来の盆提灯は、支柱７２、ベース台７５、及び脚部７８の互いの連結強度が不足しており、組み付け作業も非常に面倒であるので、製造コストを増加するという問題があった。
そこで、案出されたのが本考案であって、優れた構造強度を有すると共に、組立ても非常に簡単である盆提灯を提供することを目的としている。
【課題を解決するための手段】
【０００７】
本願の請求項１の考案は、取手部と、前記取手部の下方側に対応連結配設され提灯が配設されるようになる二本の支柱と、前記支柱の下端部が連結されるベース台と、前記ベース台の底面側に設けられる三本の脚部とを備えると共に、前記支柱、ベース台、及び脚部の間に係合部材が設けられてなり、前記取手部は、下方側にねじ孔が形成され、前記支柱の上端部近傍に前記取手部のねじ孔と対応し、一端の開口幅が小さく、他端の開口幅が大きい係合孔が形成され、前記ねじ孔に一端にねじ部を有し、他端に四角形の頭部を有する係合ヘッドを有するねじロッドが設けられ、前記ベース台は、上面の中央に照明灯配設用の収容孔が形成されると共に、外周縁に支柱を連結するための係合溝が形成され、底面側の外周緑には脚部先端部を連結するための係合溝が形成され、前記係合部材は、支柱の下端部および脚部の上端部が連結されるベース台の係合溝に設けられ、一端の幅が大きく、他端の幅が小さい台形状の係合ブロックと、係合溝に設置される蟻溝を有する連結ブロックとを有し、前記係合ブロックと連結ブロックは固定部材によって夫々支柱、脚部及びベース台と連結することを特徴とする。
【０００８】
本願の請求項２の考案は、請求項１記載の盆提灯において、前記脚部の中段に前記支柱の上端における係合孔と同様の係合孔が形成され、脚部の間に略三角形の補強プレートが設けられ、前記補強プレートの三つの端末に脚部の係合孔に係合するねじロッドが螺設されることを特徴とする。
【０００９】
本願の請求項３の考案は、請求項１記載の盆提灯において、前記連結ブロックはプラスチックからなることを特徴とする。
【考案の効果】
【００１０】
本考案は上記の課題を解決するものであり、支柱とベース台、及び、ベース台と脚部の間に構造強度を向上するための係合部材が設けられることにより、優れた構造強度を達成でき、又、その組立作業も非常に簡単となる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１２】
図１は本考案に係る実施例を示す盆提灯の斜視図であり、図２は本考案に係る盆提灯の分解斜視図であり、図３は本考案に係る盆提灯の使用状態を示す側面図であり、図４は本考案に係る盆提灯の取手部と支柱を示す分解斜視図であり、図５は本考案に係る盆提灯のベース台と支柱と脚部を示す分解斜視図であり、図６は本考案に係る盆提灯の脚部と補強プレートとを示す分解斜視図である。
【００１３】
図１乃至図３に示すように、本考案に係る盆提灯は、取手部１０と、前記取手部１０の下側に連結される二本の支柱２０と、前記支柱２０の下端部が連結されるベース台３０と、前記ベース台３０の底面側に取り付けられる三本の脚部４０とを備え、前記支柱２０の下端部とベース台３０、及び、ベース台３０と脚部４０、との間に構造強度を向上させるための係合部材５０が設けられる。
【００１４】
図４に示すように、本考案に係る盆提灯の取手部１０は装飾用ロッドであり、下部の両側には相互に対向するねじ孔１１が形成されている。
また、前記支柱２０の上端近傍の一側面には、前記取手部１０のねじ孔１１と対応し、一端の開口幅が小さく、他端の開口幅が大きい係合孔２１が形成されている。
前記ねじ孔１１には、ねじロッド１２の先端部分が嵌合され、前記係合孔２１にはねじロッド１２の後端部分に、四角形の拡大頭部に形成した係合ヘッド１３が嵌合される。前記係合ヘッド１３を係合孔２１に設置する際は、係合ヘッド１３の拡大頭部を支柱２０の開口幅が大きい係合孔２１に取り付け、次に係合ヘッド１３を開口幅が小さい係合孔２１側に移動させることで、取手部１０との結合強度を向上することが出来る。
【００１５】
図５に示すように、本考案に係る盆提灯のベース台３０は円盤状であり、上面の中央に蝋燭又はランプを設置するための収容孔３１が形成されると共に、外周緑に支柱２０と連結するための係合溝３２が形成され、底面側の外周緑に脚部４０と連結するための係合溝３２が形成される。
【００１６】
前記係合部材５０は、支柱２０の下端部或いは脚部４０の上端部に設けられ、一端の幅が大きく、他端の幅が小さい台形状の係合ブロック５１と、前記係合溝３２に設置される、蟻溝５３を有する連結ブロック５２とを有し、前記係合ブロック５１と連結ブロック５２がねじなどの固定部材５４によって、夫々、支柱２０又は脚部４０と、ベース台３０とが連結される。又、前記連結ブロック５２はプラスチック製である。
【００１７】
又、図６に示すように、前記脚部４０の中段に前記支柱２０の上端部における係合孔２１と同様の水平方向に穿った係合孔４１が形成され、脚部４０の間に略三角形の補強プレート４２が設けられ、前記補強プレート４２の三つの端末に脚部４０の係合孔４１に係合するねじロッド４３が螺設されることにより、脚部４０の連結強度を向上させる。
【００１８】
又、図５に示すように、本考案に係る盆提灯の支柱２０とベース台３０の組合せは、先ず、前記固定部材５４によって係合ブロック５１を支柱２０の下端部に結合させると共に、連結ブロック５２をベース台３０の係合溝３２に固設させ、そしてベース台３０の外側から係合ブロック５１を連結ブロック５２の蟻溝５３に係合させることにより、簡単に支柱２０とベース台３０とを組合わせられる。
更に又、前記脚部４０とベース台３０の組合せ方式は、前記支柱２０とベース台３０の組合せ方式と同様であるので、その詳細な説明は省略する。
【００１９】
又、図４に示すように、前記取手部１０と支柱２０の組合せは、前記ねじロッド１２の係合ヘッド１３を支柱２０における係合孔２１の小幅方向へ移動させることにより、取手部１０と支柱２０との組合わせを行う。
【００２０】
図６に示す前記補強プレート４２と脚部４０の組合せ方式も、前述の取手部１０と支柱２０の組合せ方式と同様であるので、その詳細な説明は省略する。
【産業上の利用可能性】
【００２１】
本考案は上記の構成を有するので、支柱とベース台、及びベース台と脚部の間に構造強度を向上するための係合部材が設けられることにより、優れた構造強度を達成でき、又、その組立作業も非常に簡単となる。
【図面の簡単な説明】
【００２２】
【図１】本考案に係る盆提灯の実施例を示す提灯を除いて示す要部斜視図である。
【図２】本考案に係る盆提灯の実施例を示す図１の分解斜視図である。
【図３】本考案に係る盆提灯の使用状態を示す側面図である。
【図４】本考案に係る盆提灯の取手部と支柱の要部を示す分解斜視図である。
【図５】本考案に係る盆提灯のベース台と支柱と脚部の要部をを示す分解斜視図である。
【図６】本考案に係る盆提灯の脚部と補強プレートとの要部を示す分解斜視図である。
【図７】従来の盆提灯の取手部と支柱を示す分解斜視図である。
【図８】従来の盆提灯のベース台と支柱と脚部を示す分解斜視図である。
【図９】従来の盆提灯の脚部と補強プレートとを示す分解斜視図である。
【符号の説明】
【００２３】
１０    取手部
１１    ねじ孔
１２    ねじロッド
１３    係合ヘッド
２０    支柱
２１    係合孔
３０    べ−ス台
３１    収容孔
３２    係合溝
４０    脚部
４１    係合孔
４２    補強プレート
４３    ねじロッド
５０    係合部材
５１    係合ブロック
５２    連結ブロック
５３    蟻溝
５４    固定部材
【図１】
0003113278.tif 000003
【図２】
0003113278.tif 000004
【図３】
0003113278.tif 000005
【図４】
0003113278.tif 000006
【図５】
0003113278.tif 000007
【図６】
0003113278.tif 000008
【図７】
0003113278.tif 000009
【図８】
0003113278.tif 000010
【図９】
0003113278.tif 000011